(57)【特許請求の範囲】
【請求項１】
表示画面を有する表示部と、
前記表示画面の周縁にて離間した複数の位置に設けられ、それぞれ、前記表示画面に沿って、不可視領域を含む所定の波長帯域を有する放出光を走査し、前記放出光の反射光を検出する複数の検出器と、
前記表示画面の周縁に沿って選択的に配置され、前記放出光を前記反射光として反射する再帰反射性を有する反射部材と、
可視領域の光の透過量を制限する選択透過性材料からなるベゼルであって、前記表示画面の周囲を装飾的に囲う第１の部位と前記検出器と前記反射部材とを遮るように前記第１の部位から延設された第２の部位とを有するベゼルと、
前記複数の検出器の検出結果に基づいて前記表示画面上で指示された座標を検出する座標検出部であって、前記放出光の走査角度に応じて前記第２の部位によって生じる前記反射光の減衰を補正する座標検出部と
を具備する情報処理装置。
【請求項２】
請求項１に記載の情報処理装置であって、
前記反射部材は、前記表示画面の周縁部に設けられた支持部材に固定されている
情報処理装置。
【請求項３】
請求項１に記載の情報処理装置であって、
前記反射部材は、前記ベゼルの前記第２の部位に固定されている
情報処理装置。
【請求項４】
請求項３に記載の情報処理装置であって、
前記反射部材は、前記ベゼルに光透過性を有する接着剤によって固定されている
情報処理装置。
【請求項５】
請求項４に記載の情報処理装置であって、
前記情報処理装置は、リモートコントローラからの光信号を受信可能な受信部をさらに有し、
前記ベゼルの前記第１の部位は前記受信部を覆う
情報処理装置。
【発明の詳細な説明】
【技術分野】
【０００１】
本発明は、表示画面にタッチパネルを有するパーソナルコンピュータ等の情報処理装置に関する。
【背景技術】
【０００２】
パーソナルコンピュータ等の情報処理装置に備わるディスプレイに搭載されるタッチパネルとしては、赤外線方式、静電容量方式、抵抗膜方式等の種々の検出原理のものが実用化されている。赤外線方式のタッチパネルは、他の検出原理のものに比べ検出範囲の大型化のコストが低いこと等から、比較的大型のディスプレイに採用されることが多い。
【０００３】
赤外線方式のタッチパネルは、ディスプレイの画面に沿って赤外線が照射され、画面を指示したユーザの指等の遮蔽物による赤外線の遮断を検出し、画面上での遮蔽物の位置を判定するものである。赤外線方式のタッチパネルには、赤外線の反射を利用する赤外線反射型のタッチパネルがある。
【０００４】
赤外線反射型のタッチパネルでは、赤外線の照射及び検出を行う検出器と、赤外線を反射する反射部材が設けられる。検出器は通常２基用いられ、画面の2つの隅部にそれぞれ配置される。各々の検出器は、赤外線を発光する発光部と赤外線を受光する受光部とを備える。発光部から発光される赤外線は走査機構によって光軸方向が周期的に変更され、所定の角度範囲(例えば90度範囲)で投光される。反射部材は、２基の検出器からの赤外線の投光範囲に相当する位置である画面の３辺に沿った位置に配置される。
【０００５】
反射部材は再起反射性（入射光を入射方向と同方向に反射する特性）を有し、入射した赤外線を検出器に向けて反射する。検出器の受光部は受光した赤外線の強度に応じた電気信号を出力する。赤外線反射型のタッチパネルでは、二つの検出器の受光部より出力される二つの信号を用いて、画面上での遮蔽物の位置(座標)の判定が行われる。すなわち、画面上に遮蔽物が存在すれば、赤外線は遮蔽物によって遮断されるので、受光部から得られる赤外線の反射光量に対応した信号のレベルが下がり、この時点で、各検出器毎の走査機構から得られる二つの走査角度の情報をもとに、画面上での遮蔽物の位置(座標)が判定される。
【０００６】
このような赤外線反射型のタッチパネルを採用した公知の技術としては、例えば、ＣＲＴの辺上に設けられた光回帰性反射体と、この光回帰性反射体に対向する走査型光送受器とを備える座標入力装置がある(例えば、特許文献１参照)。
【先行技術文献】
【特許文献】
【０００７】
【特許文献１】特開２００７−７２５０１号公報（段落[００４３]、図１）
【発明の概要】
【発明が解決しようとする課題】
【０００８】
しかしながら、特許文献１に係る座標入力装置では画面の周囲に光回帰性反射体が露出する構成となっている。光回帰性反射体は表面に波状模様等が現れたり、それ自体の色調が限定されるという性質上、特許文献１に記載の装置のように表示画面の周囲に光回帰性反射体を露出させたデザインを採用した場合、外観性が損なわれる恐れがある。また、露出している光回帰性反射体が汚れ、あるいは傷つくことなどによって、指示座標の検出精度が低下するおそれがある。
【０００９】
以上のような事情に鑑み、本発明の目的は、反射部材による外観性の低下を防止し、反射部材を保護すると共に、表示画面のベゼルの強度向上を図ることが可能な情報処理装置を提供することにある。
【課題を解決するための手段】
【００１０】
上記目的を達成するため、本発明の一形態に係る情報処理装置は、表示部と、複数の検出器と、座標検出部と、反射部材と、ベゼルとを具備する。
上記表示部は、表示画面を有する。
上記検出器は、上記表示画面の周縁にて離間した複数の位置に設けられ、それぞれ、上記表示画面に沿って、不可視領域を含む所定の波長帯域の光を走査し、上記光の反射光を検出する。
上記座標検出部は、上記複数の検出器の検出結果に基づいて表示画面上で指示された座標を検出する。
上記反射部材は、上記表示画面の周縁に沿って選択的に配置され、上記検出部からの上記光を反射する再帰反射性を有する。
上記ベゼルは、可視領域の光の透過量を制限する選択透過性材料からなるベゼルであって、上記表示画面の周囲を装飾的に囲う第１の部位と上記検出器と上記反射部材とを遮るように上記第１の部位から延設された第２の部位とを有する。
【００１１】
本発明では、可視領域の光の透過量を制限する選択透過性材料からなるベゼルの第２の部位によって検出器と反射部材との間での光の授受を可能としながら、反射部材の表出による情報処理装置の外観への悪影響を防止することができる。また、反射部材が汚れ、あるいは傷つくことによっての座標検出精度の低下を防止でき、さらには第１の部位に第２の部位が延設されることによってのベゼルの強度向上を図ることが可能である。
【００１２】
上記反射部材は、上記表示画面の周縁部に設けられた支持部材に固定されていてもよい。
この構成によれば、支持部材によって反射部材を支持することが可能となる。ベゼルと反射部材は独立に支持されているため、ベゼルが外力あるいは熱等により変形する場合であっても反射部材による光の反射に影響がなく、遮蔽物の位置検出を精度よく行うことが可能である。
【００１３】
上記反射部材は、上記ベゼルの上記第２の部位に固定されていてもよい。
この構成によれば、反射部材がベゼルの第２の部位に直接固定されることにより、空気層による光の屈折による影響を低減することができる。また、反射部材とベゼルの第２の部位との間に隙間が存在する場合に比べ、光路長を短くすることができ、光の減衰を抑えることができる。さらには、支持部材に反射部材を固定する場合に比べ、ベゼルの小型化を図ることができる。
【００１４】
上記反射部材は、上記ベゼルに光透過性を有する接着剤によって固定されていてもよい。
この構成によれば、接着剤による光の減衰を抑制することが可能である。上記反射部材は、上記ベゼルに光透過性を有する接着剤によって固定されていてもよい。この構成によれば、
【００１５】
上記情報処理装置は、リモートコントローラからの光信号を受信可能な受信部をさらに有し、上記ベゼルの上記第１の部位は、上記受信部を覆うように構成されたものであってもよい。
この構成によれば、ベゼルを受信部のカバーとして用いることが可能である。ベゼルは可視光領域の光の透過量を制限するものであるので、受信部のカバーとして利用することができる。このため、操作信号受光部として別の部品を設ける必要がなく、ベゼルをシームレスなデザインとすることができ、部品点数を削減することが可能である。
【発明の効果】
【００１６】
以上のように本発明の目的によれば、反射部材による外観性の低下を防止し、反射部材を保護すると共に、表示画面のベゼルの強度向上を図ることが可能な情報処理装置を提供することが可能となる。
【図面の簡単な説明】
【００１７】
【図１】第１の実施形態に係る情報処理装置の外観を示す平面図である。
【図２】情報処理装置からベゼルを除いた状態を示す平面図である。
【図３】検出器の詳細を示す斜視図である。
【図４】座標検出部の構成を示すブロック図である。
【図５】ベゼルの配置を示す断面図である。
【図６】検出動作を説明する模式図である。
【図７】レシーバゲインを示すグラフである。
【図８】選択透過性材料の分光透過率を示すグラフである。
【図９】第２の実施形態に係る情報処理装置のベゼルの配置を示す断面図である。
【発明を実施するための形態】
【００１８】
以下、図面を参照しながら、本発明の実施形態を説明する。
【００１９】
（第１の実施形態）
本発明の第１の実施形態に係る情報処理装置１について説明する。
【００２０】
＜情報処理装置の構成＞
図１は、第１の一実施形態に係る情報処理装置１の外観を示す平面図である。
図２は、情報処理装置１からベゼル３を除いた状態を示す平面図である。
【００２１】
これらの図に示すように、情報処理装置１は、支持部１０と本体部１５から構成されている。支持部１０は本体部１５の下方に設けられ、本体部１５を支持する。支持部１０は、空間を有し、キーボード等を収容することが可能に構成されている。また、情報処理装置１は、その背面側に設けられたスタンド１１を有する。
【００２２】
本体部１５は、表示画面２と、ベゼル３と、筐体４と、反射部材５と、検出器６とを備える。表示画面２の面に平行な一方向をＸ方向、表示画面２の面に平行でありＸ方向に垂直な方向をＹ方向、Ｘ方向及びＹ方向に垂直な方向をＺ方向とする。即ち、表示画面２はＸ−Ｙ平面に平行な面である。図１に示す、情報処理装置１の表示画面２が表れている側を情報処理装置１の前面側とし、その反対側を情報処理装置１の背面側とする。
【００２３】
筐体４は表示器及びそのほか情報処理装置を構成する各種のデバイスを収容する。表示画面２は表示器（表示部）において映像を表示する面である。表示器としては、例えば、ＬＣＤ（Liquid Crystal Display）、ＣＲ（Cathode Ray Tube）等が用いられる。表示画面２は、ユーザによって指示（ポインティング）される面でもある。本実施形態に係る情報処理装置１の表示画面２は矩形であるものとするが、これに限られない。表示画面２の４辺について、１辺を第１の辺２aとし、第１の辺２ａと対向する辺を第２の辺２ｂとする。他の２辺のうち一方を第３の辺２ｃとし、他方を第４の辺２ｄとする。
【００２４】
ベゼル３は表示画面２の周囲四辺を装飾的に囲う枠である。
図５はベゼル３の配置を示す断面図である。ベゼル３は、情報処理装置１の前面側に臨む第１の部位３ａと、検出器６と反射部材５を遮るように第１の部位３ａから延設された第２の部位３ｂとからなる。図５に示すように、ベゼル３の第１の部位３ａは情報処理装置１の前面側に臨み、筐体４によって支持されている。第２の部位３ｂは第１の部位３ａの、表示画面２側から延設されている。第２の部位３ｂは、表示画面２の４辺のうち、後述する反射部材５が設けられている辺、即ち、第１の辺２ａ、第２の辺２ｂ及び第３の辺２ｃに沿って設けられている。第１の部位３ａは、例えば２．０ｍｍ以上３．０ｍｍ以下の厚みを有するものとすることができる。また、第２の部位３ｂは、例えば０．５ｍｍ以上２．０ｍｍ以下の厚みを有するものとすることができる。
【００２５】
ベゼル３は、選択透過性材料からなる。選択透過性材料とは、光の透過率が波長によって異なる材料である。ベゼル３を構成する材料の選択透過性は、検出器６によって投光される波長帯の光を透過し、可視光領域の光の透過量を制限するものとされる。例えば、検出器６を８５０ｎｍの波長を有する赤外光を投光するものとし、ベゼル３の材料を当該８５０ｎｍの波長を有する赤外光を選択的に透過させる選択透過性材料とすることが可能である。
【００２６】
図８は、ベゼル３に用いることが可能な特定の選択透過性材料の分光透過率データの例である。この分光透過率データは、第２の部位３ｂの厚みが２．０ｍｍのベゼル３について測定されたものである。同図に示すように、この選択透過性材料では、、波長が約７００ｎｍ以下の可視光波長帯域の光の透過を制限し、７００ｎｍ以上の波長帯域の光を選択的に透過させることが可能である。
【００２７】
図２に示すように情報処理装置１には受信部１２が設けられている。受信部１２は、外部からリモートコントローラによって情報処理装置１を操作するための光信号を受光する。光信号は赤外線等の不可視領域の光の明滅信号であり、受信部１２によって電気信号に変換される。受信部１２は、可視光による受信部１２の誤動作を防止するために、可視光を遮断するカバーにより覆われている必要がある。ここで、ベゼル３は可視光領域の光の透過量を制限する材料によって構成されているため、ベゼル３の第１の部位３ａを受信部１２のカバーとして利用することが可能である。
【００２８】
図１及び図２に戻って、反射部材５は再帰反射性を有し、検出器６から放出された光を反射する。再帰反射性とは、入射光を、入射した方向と同方向に反射する性質である。反射部材５は表示画面２の４辺のうち３辺に沿って設けられる。本実施形態では、反射部材５は第１の辺２ａ、第２の辺２ｂ及び第３の辺２ｃに沿って設けられるものとする。反射部材５のうち、第１の辺２ａに沿う部分を第１の部分５ａ、第２の辺２ｂに沿う部分を第２の部分５ｂ、第３の辺２ｃに沿う部分を第３の部分５ｃとする。反射部材５は帯状であり、表示画面２の周囲四辺における第１の辺２ａ、第２の辺２ｂ及び第３の辺２ｃに沿って配置された支持部材９（図３及び図５参照）に取り付けられている。支持部材９は、例えば、表示画面２の最前面に配置された保護パネルなどの前面側に設けられている。支持部材９は、表示画面２に対して直交する成分を含む方向に沿った内壁面９ａを有し、この内壁面９ａに反射部材５が支持されている。
【００２９】
上記のように、支持部材９は表示画面２の最前面に設けられ、さらに支持部材９の前面側はベゼル３によって覆われ、見かけ上ベゼル３に収容されている。支持部材９とベゼル３との配置関係をさらに説明すれば、支持部材９の前面側の端部とベゼル３の裏側面との間には隙間が確保されている。このためベゼル３が外力あるいは熱等により変形する場合であっても反射部材５にまでその影響が及ぶ危険が低減される。
【００３０】
検出器６は表示画面２に沿って光を投光し、反射部材５によって反射された光を検出する。この情報処理装置１には２基の検出器６が用いられている。２基の検出器６は、例えば、表示画面２の左上隅と右上隅に配置されている。すなわち、２基の検出器６は、反射部材５が設けられていない辺と、この辺に隣接する他の辺との角の部分、即ち、第１の辺２ａと第４の辺２ｄの角の部分及び第２の辺２ｂと第４の辺２ｄの角の部分に設けられる。以後、第１の辺２ａと第４の辺２ｄの角（表示画面２の右上隅）に設けられる検出器６を「第１の検出器６Ｒ」と呼び、第２の辺２ｂと第４の辺２ｄの角（表示画面２の左上隅）に設けられる検出器６を「第２の検出器６Ｌ」と呼ぶ。検出器６の構造の詳細については後述する。
なお、２基の検出器６の位置は必ずしも表示画面２の角の部分であることに限らない。例えば、第４の辺２ｄにおいて互いに離間した位置に配置されればよい。
【００３１】
図３は、検出器６の詳細を示す斜視図である。図３には、表示画面２の右上隅に配置された第１の検出器６Ｒが示されているが、第２の検出器６Ｌも同様の構成を有する。同図に示すように、第１の検出器６Ｒはエミッタ６Ｒａとレシーバ６Ｒｂを有する。
【００３２】
エミッタ６Ｒａは表示画面２に沿って光を投光する。エミッタ６Ｒａは光源と、光源より出射された光を収束させる光学系と、光学系によって収束された光を走査する走査機構等によって構成される。光源はＬＥＤ（Light Emitting Diode）、ＬＤ（laser diode）等であり、不可視領域（赤外領域又は紫外領域）の波長を有する光を生成する。光学系はレンズ等である。走査機構は、ガルバノスキャナ、ポリゴンスキャナ等であり、入射する光を所定範囲内に走査することが可能に構成されている。
【００３３】
エミッタ６Ｒａは、走査機構により光の軸の方向を所定の角度範囲（例えば９０度）で周期的に変更しつつ反射部材５に対して光を投光する。具体的には、図２及び図６において、第１の検出器６Ｒに搭載されているエミッタ６Ｒａは反射部材５の第２の部分５ｂ及び第３の部分５ｃに対して光を走査する。第２の検出器６Ｌのエミッタ６Ｌａは、反射部材５の第１の部分５ａ及び第３の部分５ｃに対して光を走査する。
【００３４】
レシーバ６Ｒｂは、同一の検出器６に搭載されているエミッタ６Ｒａから放出され、反射部材５から戻ってくる光を受けて、光の強度に応じた電気信号を出力する。レシーバ６Ｒｂの出力は後述する座標検出部７に送信される。
【００３５】
なお、本実施形態では、図３に示すように、一つの第１の検出器６Ｒに二つのレシーバ６Ｒｂ，６Ｒｂがエミッタ６Ｒａの両側に配置され、検出可能範囲を補うようにしている。
【００３６】
図４は座標検出部７の構成を示すブロック図である。
情報処理装置１は、表示画面２上で指示された座標を２基の検出器６により得られた検出結果に基づいて検出する座標検出部７を有する。
【００３７】
同図に示すように、座標検出部７は、駆動回路７１（駆動回路７１Ｒ、駆動回路７１Ｌ）、増幅回路７２（増幅回路７２Ｒ、増幅回路７２Ｌ）、走査機構制御回路７３、角度検出回路７４（角度検出回路７４Ｒ、角度検出回路７４Ｌ）、演算回路７５を有する。ここで、符号にＲが付けられた回路は第１の検出器６Ｒの系に対応する回路であり、符号にＬが付けられた回路は第２の検出器６Ｌの系に対応する回路である。
【００３８】
駆動回路７１Ｒはエミッタ６Ｒａの光源に駆動電流を供給する。同様に駆動回路７１Ｌはエミッタ６Ｌａの光源に駆動電流を供給する。
増幅回路７２Ｒはレシーバ６Ｒｂの出力を増幅し、角度検出回路７４Ｒに出力する。同様に増幅回路７２Ｌはレシーバ６Ｌｂの出力を増幅し、角度検出回路７４Ｒに出力する。
走査機構制御回路７３はエミッタ６Ｒａ内及びエミッタ６Ｌａ内の夫々の走査機構を制御する。
【００３９】
角度検出回路７４Ｒは増幅回路７２Ｒの出力である増幅されたレシーバ６Ｒｂの出力が最も低下したタイミングを走査機構制御回路７３から供給される走査タイミング基準信号をもとに検出し、検出されたタイミングを角度情報に置換して出力する。ここで、走査機構制御回路７３から供給される走査タイミング基準信号とは、例えば、走査機構の走査角度を０度であるときに走査機構制御回路７３から角度検出回路７４Ｒに出力される信号である。角度検出回路７４Ｒは、この走査タイミング基準信号が入力されたタイミングとレシーバ６Ｒｂの出力が最も低下したタイミングとの差を求め、この差を角度情報に置換する。すなわち、走査機構の走査角度が０度のとき光の軸が表示画面２の第１の辺２ａに平行となるように設定されている場合、表示画面２上でユーザにより指示された座標と第１の検出器６Ｒとを結ぶ直線と、上記の表示画面２の第１の辺２ａ(直線)とがなす角度が上記の第１の角度情報として求められることとなる。そして、角度検出回路７４Ｒは求めた角度情報を演算回路７５に出力する。角度検出回路７４Ｌも、角度検出回路７４Ｒと同様に、増幅回路７２Ｌの出力である増幅されたレシーバ６Ｌｂの出力が最も低下したタイミングを走査機構制御回路７３から供給される走査タイミング基準信号をもとに検出し、検出されたタイミングを第２の角度情報に置換して演算回路７５に出力する。これにより求められる角度は、表示画面２上でユーザにより指示された座標と第２の検出器６Ｌとを結ぶ直線と、表示画面２の第２の辺２ｂ(直線)とがなす角度である。
【００４０】
演算回路７５は、角度検出回路７４Ｒと角度検出回路７４Ｌより入力された２つの角度情報をもとに表示画面２上でユーザにより指示された座標を検出する。
【００４１】
＜座標検出の動作＞
以上のように構成された情報処理装置１による座標検出の動作について説明する。
図６は座標検出の動作を説明する模式図である。
【００４２】
表示画面２上にユーザの指やスタイラスペン等の遮蔽物Ｓが接触（接近）すると、以下に示すようにして、その接触された位置の座標が第１の検出器６Ｒ、第２の検出器６Ｌ、および座標検出部７により検出される。
【００４３】
まず、第１の検出器６Ｒの動作から説明する。
駆動回路７１Ｒからエミッタ６Ｒａの光源に駆動電流が供給され、エミッタ６Ｒａから特定の波長を有する光が放出されるとともに、走査機構制御回路７３からエミッタ６Ｒａの走査機構に制御信号が供給される。これにより走査機構が駆動され、光源から放出された光が走査される。
【００４４】
エミッタ６Ｒａから放出され、表示画面２上を通過した光は、選択透過性材料からなるベゼル３の第２の部位３ｂを通過して反射部材５に到達し、反射部材５によって反射される。ここで、反射部材５は再帰反射性を有するため、反射部材５に入射した光は入射した方向、即ち、第１の検出器６Ｒの方向に向かって反射される。反射部材５によって反射された光は、ベゼル３の第２の部位３ｂを通過して検出器６に到達する。
【００４５】
表示画面２上のある位置を指示する遮蔽物Ｓが存在する場合、エミッタ６Ｒａによって走査されている光のうち、遮蔽物Ｓに向かって照射された光は遮蔽物Ｓによって遮られる。このため反射部材５に光が到達しないことによって、レシーバ６Ｒｂでの受光量が低下する。したがって、このとき増幅回路７２Ｒの出力も低下し、角度検出回路７４Ｒにて、この出力低下時のタイミングと走査機構制御回路７３から供給される走査タイミング基準信号のタイミングとの差から上記第１の角度情報が得られる。角度検出回路７４Ｒによって検出された角度をθＲとする。
【００４６】
第２の検出器６Ｌにおいても第１の検出器６Ｒと同様の動作が行われることで上記第２の角度情報が得られる。この角度をθＬとする。
【００４７】
演算回路７５は、角度検出回路７４Ｒから出力された角度θＲと、角度検出回路７４Ｌから出力された角度θＬから表示画面２上における遮蔽物Ｓの位置の座標を求める。
【００４８】
上述のように、反射部材５はベゼル３の第２の部位３ｂによって隠されているものの、ベゼル３は選択透過性材料で構成されているため、検出器６と反射部材５との光の授受は妨げられることはない。また、ベゼル３によって可視光の透過量が制限されることによって、ユーザから反射部材５が見えることがない。
【００４９】
＜レシーバゲインの調整＞
反射部材５とベゼル３の第２の部位３ｂと隙間の大きさ、ベゼル３の表面状態ならびに成形状態（成形ムラ等）等によっては、部位間での光の透過率に差が生まれることがある。そこで、レシーバのゲインを調整することによって、この問題を解消することとする。
【００５０】
図７はレシーバの出力の例を示すグラフである。
図７（Ａ）は選択透過性材料からなるベゼル３で反射部材５を覆っていないときのレシーバの出力分布を示し、図７（Ｂ）はベゼル３で反射部材５を覆ったときのレシーバの出力分布を示す。同図において、実線のプロットは一方のレシーバ６Ｒｂの出力を示し、破線のプロットは他方のレシーバ６Ｌｂの出力を示す。グラフの横軸は光の角度であり、縦軸はレシーバの出力である。
【００５１】
図７（Ａ）と図７（Ｂ）を比較すると、両レシーバ６Ｒｂ，６Ｌｂの出力は共に図中Ｗ１に示す角度領域付近でベゼル３の光透過率の低下によるものと考えられる減衰が見られる。そこで、両レシーバ６Ｒｂ，６Ｌｂの出力が閾値より低下した角度範囲を調べておき、この角度範囲においては、両レシーバ６Ｒｂ，６Ｌｂの出力に対する増幅回路７２Ｒ，７２Ｌの増幅率（ゲイン）を上げるように構成することが望ましい。例えば、本情報処理装置１の起動時に、プログラムに従って制御部が検出器６及び座標検出部７を駆動させ、両レシーバ６Ｒｂ，６Ｌｂの出力が閾値より低下した角度範囲を調べ、この結果をメモリに格納する。以後、制御部は、実際の座標検出において、メモリに記憶された角度範囲を設定し、この角度範囲において両レシーバ６Ｒｂ，６Ｌｂの出力に対する増幅回路７２Ｒ，７２Ｌの増幅率（ゲイン）を予め決められた調整値だけ高くする。
【００５２】
以上のように、本実施形態の情報処理装置１によれば次のような効果が得られる。
情報処理装置１では、可視領域の光の透過量を制限する選択透過性材料からなるベゼル３の第２の部位３ｂによって検出器６と反射部材５との間での光の授受を可能としながら、反射部材５の表出による情報処理装置１の外観への悪影響を防止することができる。また、反射部材５が汚れ、あるいは傷つくことによる座標検出精度の低下を防止でき、さらには第１の部位３ａに第２の部位３ｂが延設されることによってのベゼルの強度向上を図ることが可能である。
【００５３】
また、ベゼル３と反射部材５は独立に支持されているため、ベゼル３が外力あるいは熱等により変形する場合であっても反射部材５による光の反射に影響がなく、遮蔽物Ｓの位置検出を精度よく行うことが可能である。
【００５４】
さらに、ベゼル３は情報処理装置１の前面側の臨む第１の部位３ａと、反射部材５を覆う第２の部位３ｂが一体的に形成されているため、埃等の進入を防止し、デザイン性を向上させることが可能である。また、強度を維持したまま、第２の部位３ｂの厚さを薄くすることができ、第２の部位３ｂによる光の減衰を低減することが可能である。さらに、第１の部位３ａと第２の部位３ｂを一体的に形成することにより部品点数を抑え、情報処理装置１の組み立て時の工数を減らすことが可能である。
【００５５】
（第２の実施形態）
本発明の第２の実施形態に係る情報処理装置２０について説明する。
第１の実施形態に係る情報処理装置１と同様の構成については同一の符号を付し、説明を省略する。
【００５６】
情報処理装置２０は第１の実施形態に係る情報処理装置１と比較して、反射部材５の取り付け方法が異なる。
図１０はベゼル３の配置を示す断面図である。
【００５７】
同図に示すように、ベゼル３の第１の部位３ａは情報処理装置１の前面側に臨み、筐体４によって支持されている。第２の部位３ｂは第１の部位３ａの、表示画面２側から延設されている。第２の部位３ｂは、反射部材５が設けられている辺、即ち、第１の辺２ａ、第２の辺２ｂ及び第３の辺２ｃに沿って設けられている。ベゼル３は、選択透過性材料を一体成形することにより形成することができる。反射部材５は、ベゼル３の第２の部位３ｂの裏側３ｃに取り付けられている。
【００５８】
反射部材５は、第２の部位３ｂに接着剤により貼付される。ここで、この接着剤を光透過性を有するものとすることにより、接着剤による光の減衰が抑制され、遮蔽物Ｓの位置検出の精度を向上させることが可能である。
【００５９】
反射部材５がベゼル３の第２の部位３ｂに直接固定されることにより、空気層による光の屈折による影響を低減することができる。また、反射部材５とベゼル３の第２の部位３ｂとの間に隙間が存在する場合に比べ、光路長を短くすることができ、光の減衰を抑えることができる。さらには、支持部材９に反射部材５を固定する場合に比べ、ベゼル３の小型化を図ることが可能である。
【００６０】
本発明は上述の実施形態にのみ限定されるものではなく、本発明の要旨を逸脱しない範囲内において変更され得る。
【００６１】
上述の各実施形態において、情報処理装置には２基の検出器が設けられるものとしたが、検出器は２基に限られない。より多数の検出器を配置することにより、指示物の位置検出精度を向上させることが可能である。
【符号の説明】
【００６２】
１      情報処理装置
２      表示画面
３      ベゼル
３ａ    第１の部位
３ｂ    第２の部位
５      反射部材
６      検出器
６Ｒ    第１の検出器
６Ｌ    第２の検出器
７      座標検出部
９      支持部材
１２    受信部
２０    情報処理装置
【図１】
0005487865.tif 000002
【図２】
0005487865.tif 000003
【図３】
0005487865.tif 000004
【図４】
0005487865.tif 000005
【図５】
0005487865.tif 000006
【図６】
0005487865.tif 000007
【図７】
0005487865.tif 000008
【図８】
0005487865.tif 000009
【図９】
0005487865.tif 000010